(57)【特許請求の範囲】
【請求項１】
ドラムを支持ブラケット、スタンドまたはラックのいずれかに装着するためのドラムマウントであって、
複数の開口部およびオフセット部分を有する湾曲した外側マウントバーと、
前記湾曲した外側マウントバーの前記オフセット部分内に取り付けられる湾曲した内側マウントプレートと、
前記内側マウントプレートのドラムフープへの隔離および減衰された連結を提供し、前記外側マウントバーの前記オフセット部分の前記内側マウントプレートへの隔離および減衰された連結を更に提供する複数の連結アセンブリとを備え、前記内側マウントプレートは、複数の開口部を有する、ドラムマウント。
【請求項２】
前記複数の連結アセンブリの各連結アセンブリは、ドラム演奏中に、前記ドラムフープから前記内側マウントプレートへと移動するエネルギー量を低減させる内側セットと、前記ドラムフープから前記内側マウントプレートに移動して、更に前記外側マウントバーに移動するエネルギー量を低減させる外側セットとを有する、請求項１に記載のドラムマウント。
【請求項３】
前記複数の連結アセンブリの各連結アセンブリは、鉛直方向を向いた開口部を有するフープおよび水平方向にネジ状の開口部を有する横方向の表面を含むアンカを有し、
前記鉛直方向を向いた開口部は、ドラムラグホルダ上で合わせられ、前記フープが間に配置された状態でラグが前記ラグホルダにネジ止めされると、前記アンカを前記ドラムに固定する、請求項１または２に記載のドラムマウント。
【請求項４】
前記複数の連結アセンブリの各連結アセンブリは、中央開口部を含む内側減衰部材および中間減衰部材を更に有し、
前記内側減衰部材は、前記アンカの横方向の表面と前記内側マウントプレートとの間に配置され、
前記中間減衰部材は、前記内側マウントプレートと前記外側マウントバーとの間に配置され、
前記内側減衰部材は、ドラム演奏中に、前記ドラムフープから前記内側マウントプレートへと移動するエネルギー量を低減させ、
前記中間減衰部材は、ドラム演奏中に、前記外側マウントバーから前記内側マウントプレートに移動するエネルギー量を低減させる、請求項３に記載のドラムマウント。
【請求項５】
前記複数の連結アセンブリの各連結アセンブリは、一方の端部に内側ネジ状キャビティを有する拡大頂部を含み、反対側の端部に外側ネジを含む内側ボルトを更に有し、
前記内側ボルトの外側ネジは、前記アンカの水平方向にネジ状の開口部にネジ止めされ、前記拡大頂部と前記アンカとの間に、前記中間減衰部材、前記内側マウントプレートおよび前記内側減衰部材を固定する、請求項４に記載のドラムマウント。
【請求項６】
前記複数の連結アセンブリの各連結アセンブリは、複数の突出部を有する一対のエンドキャップを更に有し、
前記一対のエンドキャップは、前記複数の突出部が前記内側マウントプレートに隣接した状態で前記内側マウントプレートの両側に配置され、
前記一対のエンドキャップは、前記内側マウントプレートとの表面接触を低減させることにより、前記ドラムから前記内側マウントプレートへと移動するエネルギー量を低減させる、請求項５に記載のドラムマウント。
【請求項７】
前記複数の連結アセンブリの各連結アセンブリは、一方の端部に拡大頂部を含み、反対側の端部に前記外側ネジを含む外側ボルトを更に有し、
前記外側ボルトの前記外側ネジは、前記内側ボルトの内側ネジ状キャビティにネジ止めされ、前記外側マウントバーを前記内側マウントプレートに固定する、請求項５に記載のドラムマウント。
【請求項８】
前記外側ボルトの前記外側ネジは、前記内側ボルトの外側ネジの反対側にある、請求項７に記載のドラムマウント。
【請求項９】
前記複数の連結アセンブリの各連結アセンブリは、前記外側マウントバーと前記外側ボルトとの間に配置された外側減衰部材を更に有し、
前記外側減衰部材は、前記連結アセンブリから前記外側マウントバーへと移動するエネルギー量を低減させる、請求項７または８に記載のドラムマウント。
【請求項１０】
前記外側マウントバーの前記複数の開口部は、６０度離される、請求項１〜９のいずれか１項に記載のドラムマウント。
【発明の詳細な説明】
【技術分野】
【０００１】
本発明は楽器に関し、より具体的には、ドラムマウントに関する。
【背景技術】
【０００２】
ドラムは、ドラムシェルの共鳴により音を生成する楽器である。演奏中にドラムヘッドからドラムシェルへと移動されるエネルギーは、この共鳴およびドラム音を生成する。従来のドラム設計において、ドラムフープ、ラグおよびラグホルダは、ドラムヘッドをドラムシェルに連結し、これにより、ドラムヘッドからドラムシェルにエネルギーを移動することを可能にした。
【０００３】
既存のドラム構造体は、ドラムシェルの共鳴を妨げることによりドラムの音質を損ない、または劣化させる。多くの要素が、この損なわれ、または劣化した音に寄与する。いくつかの構造体は、ラグホルダをドラムシェルに直接に配置し、または取り着け、これによりドラムシェルの共鳴を妨げる。他の複数の構造体は、ドラムシェルの頂部端および底部端にドラムフープに連結することにより、ドラムシェルに直接に影響を与えることを回避するが、ドラムヘッドからドラムシェルへと通るエネルギーのいくらかが連結枠体へと吸収されるようにこれを行う。次に、枠体は、ラトリングを立て、またはドラムシェルの共鳴で生成される音を歪ませる、他の望ましくない音を生成する。米国特許第８，８８４，１４４号および同第８，６２９，３４０号に記載されたアルティマウント枠体等の新しい設計は、連結枠体をエネルギー吸収から遮蔽するように隔離してドラムヘッドがドラムシェルに連結することを可能にしつつ、ドラムシェルが自由に共鳴することを可能にする。
【０００４】
ドラムマウントは、音の劣化または歪みの別の潜在的原因である。ドラムマウントは、ドラムを支持ブラケットアーム、スタンドまたはラックに取り着ける。既存のドラムマウント構造体は、マウント取り付け部品をドラムシェルに取り着ける。すると、これにより同一の問題が発生する。またしても、ドラムシェルが自由に共鳴することが妨げられる。また、ラトリングおよび他の望ましくない音は、演奏中に生成されるエネルギーのいくらかがドラムシェルからドラムマウントに移動されるときに生成され得る。
【０００５】
従って、ドラムシェルが自由に共鳴することを可能にする新しいドラムマウントが必要である。更に、マウント自体がドラム音に加わることを防止するドラムマウントが必要である。具体的には、演奏中に他のドラム構造体全体におけるエネルギー移動から、ドラムマウントを隔離し、あるいはドラムマウントへのそのようなエネルギーの移動を少なくとも減衰させる必要がある。
【図面の簡単な説明】
【０００６】
本発明の性質に対するより良い理解を得るべく、改良型ドラムマウントの好ましい実施形態を添付の図面を例としてのみ参照する。
【０００７】
【図１】いくつかの実施形態による、複数の締め付けラグおよびラグホルダを用いて既存の従来のドラムに連結する改良型ドラムマウントの上面図を提示する。
【０００８】
【図２】ドラムをドラムスタンドに装着する、いくつかの実施形態における改良型ドラムマウントを図示する。
【０００９】
【図３】複数の締め付けラグを用いた図１の強化マウントバーの従来のドラムへの連結、および従来のドラムの周囲におけるラグホルダ位置を図示する。
【００１０】
【図４】図１の強化マウントバーが異なるドラムフープおよび異なるラグホルダ構造体と共にどのように用いられ得るかを図示する。
【００１１】
【図５】いくつかの実施形態による、改良型ドラムマウントのマウント・ドラム連結アセンブリの分解図を提示する。
【００１２】
【図６】外側マウントバーおよび内側マウントプレートに対する複数の連結アセンブリ要素の配置を提示する。
【００１３】
【図７】いくつかの実施形態による、完成したマウント・ドラム連結アセンブリを図示する。
【００１４】
【図８】アンカブラケットへの内側ボルトによるネジ止めを図示する。
【００１５】
【図９】いくつかの実施形態による、内側ボルトへの外側ボルトによるネジ止めを図示する。
【００１６】
【図１０】いくつかの実施形態による、改良型ドラムマウントの複数のアルティマウントアンカへの連結を図示する。
【００１７】
【図１１】いくつかの実施形態による、改良型ドラムマウントを複数のアルティマウントアンカに連結するときに用いられる、マウント・ドラム連結アセンブリを図示する分解図を提供する。
【００１８】
【図１２】いくつかの実施形態による、改良型ドラムマウントの外側マウントバーをアルティマウントアンカに連結する、完成したマウント・ドラム連結アセンブリの異なる例示を提供する。
【００１９】
【図１３】改良型ドラムマウントの内側マウントプレートを用いてアルティマウント張力リングに連結し、張力リングの内周で複数のラグホルダ押出部に連結する改良型ドラムマウントの外側マウントバーを図示する。
【００２０】
【図１４】いくつかの実施形態による、改良型ドラムマウントの１つの適合例を図示する。
【００２１】
【図１５】複数のアルティマウントアンカがラグホルダの位置で合わされるときにアルティマウント枠体と共に用いられる、改良型ドラムマウントのマウント・ドラム連結アセンブリの分解図を提供する。
【００２２】
【図１６】金属スペーサの底面図を提供し、いくつかの実施形態により、金属スペーサがどのようにアルティマウント連結アセンブリに連結されるかを更に図示する。
【００２３】
【図１７】いくつかの実施形態による、金属スペーサを有する完成した改良型ドラムマウント連結アセンブリの２つの例示を提供する。
【００２４】
【図１８】いくつかの実施形態による、マウント・スタンド連結アセンブリ、ならびにその一体化された減衰および隔離要素を提示する分解図を提供する。
【００２５】
【図１９】いくつかの実施形態のマウント・スタンドアセンブリ要素の異なる斜視図を提供する。
【００２６】
【図２０】いくつかの実施形態による、完成したマウント・スタンドアセンブリの２つの図を提供する。
【発明を実施するための形態】
【００２７】
本明細書に提示される複数の実施形態は、ドラムシェルの共鳴を妨げず、演奏中にドラム全体で、ドラムマウントハードウェアをドラムの複数の音生成要素およびエネルギー移動から隔離するするべく減衰を更に提供する様々な改良型ドラムマウントを記載する。ドラムマウントによりドラムシェルの共鳴を妨げないことにより、ドラムは、より豊かでより完全な音を生成する。また、ドラムマウントハードウェアを音を生成するドラムヘッドおよびシェルから隔離することにより、ドラムマウントからの所望でない音または歪みが除去または最小化される。
【００２８】
ドラムマウントの複数の実施形態は、本明細書において提唱されるステージ間の隔離および振動減衰を得るべく、異なる複数の構造的機能を活用する。第１に、複数の実施形態は、複数の減衰部材を、いくつかの実施形態の改良型ドラムマウントをドラムに連結するように用いられるマウント・ドラム連結アセンブリハードウェアに、そしていくつかの実施形態の改良型ドラムマウントをドラムスタンドもしくはドラムラックの支持アームに連結するように用いられるマウント・スタンド連結アセンブリハードウェアに直接に一体化する。第２に、複数の実施形態は、エネルギーがドラムからドラムマウントへと、およびドラムマウントからドラムスタンドもしくはドラムラックへと移動され得る接点の表面積を低減させる、専用エンドキャップを導入する。第３に、複数の実施形態は、従来製造されていた１つのドラムマウントを、内側マウントプレートおよび外側マウントバーで構成される２つの別個のものに分割する。複数の専用エンドキャップおよび減衰部材は、マウントプレートとマウントバーとの間に挟まれ、エネルギーがドラムからドラムマウントへと移動され得る接点を低減させる。
【００２９】
改良型ドラムマウントの様々な実施形態は、従来のドラム構造体の既存のラグおよびラグホルダと連結し、またはこれらと共に動作する。いくつかの他の複数の実施形態は、ドラムヘッドをドラムシェルに連結する複数の特殊な構造枠体と連結し、またはこれらと動作する。米国特許第８，８８４，１４４号および同第８，６２９，３４０号に説明されるアルティマウント枠体は、いくつかのそのような枠体の例である。従って、米国特許第８，８８４，１４４号および同第８，６２９，３４０号の開示は、アルティマウント枠体の様々なコンポーネントが参照されるとき、参照により本明細書に組み込まれる。
【００３０】
図１は、いくつかの実施形態による、複数の締め付けラグおよびラグホルダを用いて既存の従来のドラムに連結する改良型ドラムマウントの上面図を提示する。改良型ドラムマウントは、内側マウントプレート１１０、外側マウントバー１２０、および４つのマウント・ドラム連結アセンブリ１３０を含む。
【００３１】
いくつかの実施形態において、内側マウントプレート１１０および外側マウントバー１２０の半径は、ドラムシェルまたは張力リングの径方向の内周と丁度一致する。これにより、横力がシェル共鳴の損失、ならびにシェルのひずみ、歪みまたは更にドラムシェルの破裂を引き起こし得る場合、改良型ドラムマウントがドラムをドラムスタンドに連結するときにドラムシェル上に加えられる横力を除去する。
【００３２】
図１において、外側マウントバー１２０は、ドラムシェルの外周に１８０度に渡って延びる。６０〜１２０度で、外側マウントバー１２０は、段差が形成される。このオフセット部分は、内側マウントプレート１１０のサイズと一致する。内側マウントプレート１１０は、マウント・ドラム連結アセンブリ１３０を用いてオフセット部分内の外側マウントバー１２０に連結され、マウント・ドラム連結アセンブリ１３０は、改良型ドラムマウントの全体をドラムに更に連結する。内側マウントプレート１１０は、１または複数の開口のある鉛直方向の延長部（図２の参照マーカ２６０を参照されたい）を有し、１または複数の開口に対して、いくつかの実施形態のマウント・スタンド連結アセンブリを用いて、ドラムスタンドもしくはドラムラックからの支持アームが連結され得る。マウント・スタンド連結アセンブリの詳細は、図１８〜２０を参照して提供される。
【００３３】
図２は、ドラムをドラムスタンドに連結する、いくつかの実施形態における改良型ドラムマウントを図示する。まず、改良型ドラムマウントは、以下に更に説明されるマウント・ドラム連結アセンブリ１３０を用いて、ドラムシェル周囲のラグホルダ２４０に連結される。次に、マウント・スタンド連結アセンブリを用いて、改良型ドラムマウントは、ドラムスタンドもしくはドラムラックの支持アームに連結され、ドラムは装着される。
【００３４】
この図面において、内側マウントプレート１１０および外側マウントバー１２０の各々は、複数のドラムシェルラグホルダ２４０に装着されると、ドラムシェルとの直接の接点を得る。しかし、内側マウントプレート１１０のみがスタンド２５０と直接接触する。この特定の構成は、内側マウントプレート１１０がドラムシェルと共有する直接の接点の合計数を低減させる結果として、内側マウントプレート１１０によりスタンド２５０に伝達され得る振動エネルギーの量を最小化する。ドラムシェルから外側マウントバー１２０に伝達される振動エネルギーは、内側マウントプレート１１０が外側マウントバー１２０に連結するオフセット部分で隔離または減衰される。
【００３５】
マウント・ドラム連結アセンブリ１３０は、減衰および隔離コンポーネントにより、改良型ドラムマウントをドラムシェルもしくはドラム張力リングに連結して、演奏中にドラムヘッド、ドラムフープおよびドラムシェル全体におけるエネルギー移動から内側マウントプレート１１０および外側マウントバー１２０を遮蔽する。再度図１を参照すると、１８０度離間した２つのマウント・ドラム連結アセンブリ１３０は、従来のラムシェルまたは張力リングに取り付けられる複数のラグホルダに、外側マウントバー１２０を直接に連結する。他の２つのマウント・ドラム連結アセンブリ１３０は、外側マウントバー１２０のオフセット部分とマウント・ドラム連結アセンブリ１３０との間に内側マウントプレート１１０を配置することにより、従来のドラムシェルまたは張力リングに取り付けられた複数のラグホルダに、外側マウントバー１２０のオフセット部分を間接的に連結する。
【００３６】
複数のマウント・ドラム連結アセンブリ１３０は、ドラムシェルの内周におけるラグホルダ位置と合わせられる複数の開口のあるフープ、ならびにドラムフープの内周における複数のラグ押出部を有する。図１および改良型ドラムマウントの好ましい複数の実施形態において、複数のマウント・ドラム連結アセンブリおよび連結アセンブリフープは、外側マウントバー１２０の周囲の６０度の段差で配置されている。これにより、複数のマウント・ドラム連結アセンブリを複数のラグホルダの位置に合わせられるのみならず、１８０度の角度スパンでドラムを吊るし、ドラムの重心を分割することも可能にする。ドラムの重心を均等に分割することにより、複数のラグホルダおよび実際のドラムに及ぼされる装着力の多くは取り除かれ、いくつかの実施形態の改良型ドラムマウントを用いてドラムスタンドもしくはドラムラックに取り付けられた支持ブラケットアームにより吊るされると、ドラム全体の鉛直方向の重量は、均等に分散される。６０度のオフセットが基準であるが、いくつかの他の実施形態において、複数のマウント・ドラム連結アセンブリの各々の配置の離間が６０度よりも大きいか、またはこれ未満になり得ることが明らかなはずである。
【００３７】
図３は、複数の締め付けラグを用いた図１の強化マウントバーの従来のドラムへの連結、および従来のドラムシェルの表面付近におけるラグホルダ位置を図示する。示されるように、改良型ドラムマウント連結アセンブリの複数のフープは、ドラムフープ周囲の複数のラグ開口とドラムシェル周囲の複数のラグホルダとの間に配置されている。改良型ドラムマウントは、複数のラグがドラムフープにおける複数のラグ開口を通されるときにドラムに連結され、複数の連結アセンブリフープを通して挿入され、次いで複数のラグホルダに差し込まれた内側ネジ状スイベルナットにネジ止めされる。
【００３８】
図４は、図１の強化マウントバーが異なるドラムフープおよび異なるラグホルダ構造体と共にどのように用いられ得るかを図示する。図４において、強化マウントバーは、従来のドラムシェルに直接に取り付けられたラグホルダに連結するのではなく、鉛直方向に延在する複数のブラケット４１０、および鉛直方向に延在する複数のブラケット４１０に取り付けられた複数のラグホルダを有する張力リングに連結するものとして示されている。これは、ドラムシェルの共鳴を解放する１つの構造枠体を例示する。見られるように、改良型ドラムマウントは、複数のマウント・ドラム連結アセンブリをマウントバーおよびマウントプレートに水平方向に取り付け、張力リング周囲の複数のラグホルダ位置上で複数の連結アセンブリのフープを合わせ、ドラムヘッドを含む上方ドラムフープにおける開口に、複数の締め付けラグを通すことにより、ドラムフープに連結され、連結アセンブリフープは、外側マウントバーもしくは内側マウントプレートのうちの１つと水平方向に連結されて、ドラムシェルの頂部に配置された張力リング周囲のラグホルダ内へ入り、複数の張力ロッドは、ドラムシェルの頂部端または底部端のいずれかにおける複数の張力リングの間でドラムシェルに固定するように用いられる。
【００３９】
図５は、いくつかの実施形態による、改良型ドラムマウントのマウント・ドラム連結アセンブリの分解図を提示する。連結アセンブリは、アンカブラケット５１０、第１の減衰部材５２０、内側エンドキャップ５３０、第２の減衰部材５４０、内側ボルト５５０、外側エンドキャップ５６０、第３の減衰部材５７０および外側ボルト５８０を含む。図５のマウント・ドラム連結アセンブリは、外側マウントバー１２０のオフセット部分を内側マウントプレート１１０、およびラグホルダにネジ止めされる締め付けラグに連結する。外側マウントバー１２０および内側マウントプレート１１０に対する複数の連結アセンブリ要素の配置は、図６に提示されている。図７は、いくつかの実施形態による、完成したマウント・ドラム連結アセンブリを図示する。
【００４０】
アンカブラケット５１０は、鉛直方向に向けられたフープと、中央に内側ネジ状キャビティを有する横方向の表面を有する。締め付けラグがアンカブラケット５１０をラグホルダに固定するべく用いられ得るように、フープは、ラグホルダ開口部と合わせられる。具体的には、ドラムフープのラグ開口は、ラグホルダの内側ネジ状スイベルナット開口部の頂部に配置され、締め付けラグがドラムフープにおけるラグ開口を通され、アンカブラケット５１０のフープを通して更に挿入され、次にラグホルダに差し込まれた内側ネジ状スイベルナットへとネジ止めされるときに、定位置保持される。
【００４１】
第１の減衰部材５２０は、アンカブラケット５１０の横方向の表面に隣接するように配置され、締め付けラグおよびラグホルダに連結される連結アセンブリにより、ドラムフープまたはドラムシェルから通過する任意のエネルギーに対する第１のレベルの振動減衰および吸収を、ラグホルダに差し込まれたスイベルナットへとネジ止めされる締め付けラグおよび連結アセンブリに提供する。複数の内側エンドキャップ５３０のうちの１つの背面は、内側エンドキャップの複数の突出部を有する第１の減衰部材５２０に対して配置され、内側エンドキャップは、内側マウントプレート１１０に接触する。いくつかの実施形態において、内側エンドキャップの複数の突出部は、内側マウントプレート１１０へとプレスされた複数の窪みに嵌合する。複数の突出部は、第２のレベルの減衰を提供する。複数の突出部は、マウント・ドラム連結アセンブリが内側マウントプレート１１０と共有する表面積の接触量を最小化する。今度は、これにより、マウント・ドラム連結アセンブリから内側マウントプレート１１０へと移動する振動エネルギーの量を最小化する。従って、ドラムヘッドまたはドラムシェルからラグホルダへと、かつ第１の減衰部材５２０を通り過ぎて移動するエネルギーは、複数の内側エンドキャップ５３０の各々が内側マウントプレート１１０と共有する接点が少なくなることにより更に減衰される。
【００４２】
第２の減衰部材５４０は、複数の内側エンドキャップ５３０のうち第２のものの背面に隣接する。第２の減衰部材５４０は、内側マウントプレート１１０と外側マウントバー１２０のオフセット部分との間に配置されている。第２の減衰部材５４０は、ドラムヘッドもしくはドラムシェルから内側マウントプレート１１０へと移動する任意のエネルギーに対する第３のレベルの減衰および吸収を提供する。
【００４３】
内側ボルト５５０は、一方の端部に外側のネジを、他方の端部に、アンカブラケット５１０の横方向の表面に類似する内側ネジ状の中央キャビティを収容する拡大頂部を備える。内側ボルト５５０は、アンカブラケット５１０、第１の減衰部材５２０、複数の内側エンドキャップ５３０および第２の減衰部材５４０を合わせて保持および連結する。内側ボルト５５０は、第２の減衰部材５４０、複数の内側エンドキャップ５３０、内側マウントプレート１１０および第１の減衰部材５２０の各々の周囲における複数の中央開口部を通る外側ネジ状端部により、これを行う。内側ボルト５５０の外側ネジ状端部は、アンカブラケット５１０の横方向の表面の内側ネジ状キャビティへとネジ止めされ、アンカブラケット５１０の横方向の表面と内側ボルト５５０の拡大頂部との間に第１の減衰部材５２０、内側エンドキャップ５３０、内側マウントプレート１１０および第２の減衰部材５４０の位置を固定し、更にこれらを圧縮する。内側ボルト５５０の拡大頂部の他の側は、外側マウントバー１２０のオフセット部分に隣接するように配置されている。具体的には、オフセット部分周囲の開口部は、内側ボルト５５０の内側ネジ状キャビティと合わせられる。
【００４４】
外側エンドキャップ５６０は、外側マウントバー１２０に隣接する複数の突出部を有する外側マウントバー１２０のオフセット部分の外側に配置されている。いくつかの実施形態において、外側マウントバー１２０は、外側エンドキャップ５６０の突出部が嵌合する複数の窪みを収容する。第３の減衰部材５７０は、外側エンドキャップ５６０の平坦な側に隣接する。ここで再び、追加の減衰が外側エンドキャップ５６０の複数の突出部および第３の減衰部材５７０により提供され、外側マウントバー１２０に移動するエネルギーを低減または除去する。
【００４５】
外側ボルト５８０は、第３の減衰部材５７０、外側エンドキャップ５６０および外側マウントバー１２０を合わせて保持して残余の連結アセンブリに連結する。外側ボルト５８０は、一方の端部に外側のネジを、他方の端部に拡大頂部を含む。外側ボルト５８０の外側ネジ状端部は、第３の減衰部材５７０、内側エンドキャップ５６０および外側マウントバー１２０の各々の複数の中央開口部を通る。外側ボルト５８０の外側ネジ状端部は、内側ボルト５５０の拡大頂部周囲の内側ネジ状キャビティにネジ止めされ、これにより第３の減衰部材５７０、外側エンドキャップ５６０および外側マウントバーの位置を内側ボルト５５０の拡大頂部に対して固定および圧縮する。内側ボルト５５０は、残余のアセンブリもラグホルダに連結する。図８は、アンカブラケット５１０にネジ止めされる内側ボルト５５０を図示し、図９は、いくつかの実施形態による、内側ボルト５５０への外側ボルト５８０によるネジ止めを図示する。
【００４６】
より単純なマウント・ドラム連結アセンブリは、間に内側マウントプレート１１０を有しないラグホルダに、外側マウントバー１２０の非オフセット部分を直接連結する場合に用いられる。いくつかのそのような実施形態において、より単純なマウント・ドラム連結アセンブリは、外側エンドキャップ５６０および第３の減衰部材５７０を省略する。
【００４７】
これまで、図１〜９は、締め付けラグおよび従来のラグホルダを用いていくつかの実施形態の改良型ドラムマウントを連結することを図示してきた。しかし、改良型ドラムマウントは、従来のドラム設計を逸脱する他のドラム構造と共に用いるように適合され得る。いくつかの実施形態の改良型ドラムマウントが用いられ得るいくつかの異なる構造体は、米国特許第８，８８４，１４４号および同第８，６２９，３４０号に記載された複数のアルティマウント構造枠体を含む。上記のように、米国特許第８，８８４，１４４号および同第８，６２９，３４０号の開示は、参照により本明細書に組み込まれる。
【００４８】
複数のアルティマウント枠体は、ドラムヘッドからドラムシェルへと移動するエネルギーから、アルティマウント枠体を隔離する様々なエネルギー減衰コンポーネントを用いて頂部および底部ドラムフープに連結される複数のアンカを含む。複数の張力ロッドは、ドラムシェルの完全な高さに及び、頂部および底部フープに取り付けられた複数のアンカに連結する。複数の張力ロッドは、頂部および底部フープにより、間にあるドラムシェルに及ぼされる圧縮量を設定し、より重要なことには、ドラムシェルの共鳴を妨げることなく複数のドラムフープをドラムシェルに確実に連結するべく用いられ得る。
【００４９】
図１０は、いくつかの実施形態による、改良型ドラムマウントの複数のアルティマウントアンカへの連結を図示する。図１１は、いくつかの実施形態による、改良型ドラムマウントを複数のアルティマウントアンカに連結するときに用いられる、マウント・ドラム連結アセンブリを図示する分解図を提供する。マウント・ドラム連結アセンブリは、中間減衰部材１１１０、中間エンドキャップ１１２０、外側エンドキャップ１１３０、外側減衰部材１１４０および外側ボルト１１５０を含み、内側エンドキャップ１１６０、内側減衰部材１１７０、内側ボルト１１８０およびアンカ１１９０を備えるアルティマウント連結アセンブリを補完する。
【００５０】
アルティマウント連結アセンブリの簡単な概要は参照のために、またいくつかの実施形態の改良型ドラムマウントおよびその連結アセンブリが、どのようにアルティマウント枠体の様々なエネルギー隔離および減衰機能を補完するかをより良く図示するべく、提供されている。アルティマウントの突起した複数の内側エンドキャップ１１６０は、アルティマウント張力リングのある側の周囲の横方向開口部の両側に配置される。複数の内側減衰部材１１７０は、内側エンドキャップ１１６０上の複数の突起部の平坦な背面の周囲に配置されている。集合的に、内側減衰部材１１７０と共に内側エンドキャップ１１６０の複数の突起部と、張力リングの内面および外面の周囲の複数の相補的窪みとの間で行われる低減された表面接触は、第１のレベルの振動減衰を提供し、アルティマウント枠体へのエネルギー移動を軽減する。内側ボルト１１８０は、一方の端部に拡大頂部を、他方の端部に外側のネジを有し、内側減衰部材１１７０、内側エンドキャップ１１６０および張力リングをアルティマウントアンカ１１９０に連結するように用いられる。この構成において、アルティマウントアンカ１１９０は、張力リングの外部に沿って固定されている。しかし、代替的な複数の構成において、アルティマウントアンカ１１９０は、張力リングの内部に沿って固定され得る。更に、アルティマウント連結コンポーネントおよび連結の詳細は、特許第８，８８４，１４４号および同第８，６２９，３４０号に提供されている。
【００５１】
図１１のマウント・ドラム連結アセンブリは、いくつかの実施形態の改良型ドラムマウントをアルティマウントアンカ１１９０に連結するように用いられる。これを行うべく、中間減衰部材１１１０は、アンカ１１９０と中間エンドキャップ１１２０の平坦な背面との間に配置されている。中間エンドキャップ１１２０の複数の突起は、外側マウントバーの内面の周囲の複数の相補的窪みで嵌合する。中間減衰部材１１１０と中間エンドキャップ１１２０の複数の突起とにより提供される、外側マウントバーとの表面接触が低減することで、外側マウントバーからアルティマウントアンカへと、または張力リングからアルティマウントアンカへと移動したエネルギーに対する第２のレベルの減衰が提供される。これらの中間コンポーネント１１１０および１１２０は、改良型ドラムマウントまたはアルティマウント枠体のいずれかにより、エネルギーの更なる伝播を軽減する。
【００５２】
外側エンドキャップ１１３０の複数の突起部は、外側マウントバーの外面に隣接し、マウント・ドラム連結アセンブリと外側マウントバーとの間の表面接触を低減させることにより、再び減衰を提供する。外側減衰部材１１４０は、外側エンドキャップ１１３０の平坦な背面側に対して配置されている。外側エンドキャップ１１３０および外側減衰部材１１４０は共に、第３のレベルの減衰を提供し、外側マウントバーに移動する張力リングからのエネルギーを軽減する。外側ボルト１１５０は、一方の端部に拡大頂部を、他方の端部に複数の外側のネジを含む。ネジ状端部は、アルティマウントアンカ１１９０の別の内側ネジ状キャビティにネジ止めする前に外側減衰部材１１４０の複数の中央開口部、外側エンドキャップ１１３０、外側マウントバー開口部、中間エンドキャップ１１２０の中央開口部、および中間減衰部材１１１０を通される。アルティマウント連結アセンブリの内側ボルト１１８０は、張力リングおよび複数の内側減衰コンポーネントをアルティマウントアンカ１１９０に固定するように用いられるが、外側ボルト１１５０は、外側マウントバー、外側減衰コンポーネント１１３０および１１４０、ならびに中間減衰コンポーネント１１１０および１１２０を、アルティマウントアンカ１１９０に固定するように用いられる。図１２は、いくつかの実施形態による、改良型ドラムマウントの外側マウントバーをアルティマウントアンカに連結する、完成したマウント・ドラム連結アセンブリの異なる例示を提供する。
【００５３】
アルティマウント枠体が従来の複数のラグホルダ押出部を有するドラムフープに適用され得ることに留意されたい。そのような場合に、改良型ドラムマウントは、図１１のマウント・ドラム連結アセンブリを用いて複数のアルティマウントアンカ、および図５のマウント・ドラム連結アセンブリを用いて複数のラグホルダ押出部の双方に連結するように適合され得る。図１３は、改良型ドラムマウントの内側マウントプレートを用いてアルティマウント張力リングに連結し、張力リングの内周で複数のラグホルダ押出部に連結する改良型ドラムマウントの外側マウントバーを図示する。
【００５４】
いくつかの実施形態において、改良型ドラムマウントの外側マウントバーおよび内側マウントプレートは、ドラムフープ外部の周囲の複数の既存のラグホルダ押出部と合わせられて、これを用いる他の複数の枠体に連結するように適合され得る。図１４は、いくつかの実施形態による、改良型ドラムマウントの１つのそのような適合例を図示する。この図面において、マウント・ドラム連結アセンブリは、ラグホルダ位置に配置された金属スペーサを含むように変更される。このマウント・ドラム連結アセンブリは、ドラムフープの周囲のラグホルダ位置と一致するように複数のアルティマウントアンカが合わせられるときに用いられ得る。
【００５５】
図１５は、複数のアルティマウントアンカがラグホルダの位置と一致するように合わせられるときにアルティマウント枠体と共に用いられる、改良型ドラムマウントのマウント・ドラム連結アセンブリの分解図を提供する。マウント・ドラム連結アセンブリは、複数の内側エンドキャップ１５１０、複数の減衰部材１５１５、金属スペーサ１５２０、内側ボルト１５３０、中間減衰部材１５４０、中間エンドキャップ１５５０、外側エンドキャップ１５６０、外側減衰部材１５７０および外側ボルト１５８０を含む。
【００５６】
図１５において、アルティマウントアンカは、ドラムシェル内に延在する鉛直方向の張力ロッドにより張力リングの内部において、反対側の張力リングの内部に固定された第２のアルティマウントアンカに固定される。複数の内側エンドキャップ１５１０および減衰部材１５１５は、張力リングの両側に配置されている。改良型ドラムマウント連結アセンブリの金属スペーサ１５２０は、張力リングの外部の周囲で内側減衰部材に隣接する。複数の内側エンドキャップ１５１０および減衰部材１５１５は、張力リングから、一方の側のアルティマウントアンカへの、また他方の側の外側マウントバー（もしくは内側マウントプレート）へのエネルギー移動を軽減する。
【００５７】
図１６は、金属スペーサ１５２０の底面図を提供し、金属スペーサ１５２０がどのようにアルティマウント連結アセンブリに連結されるかを更に図示する。金属スペーサ１５２０は、中央の水平方向の非ネジ状開口部、およびいずれかの端部からの鉛直方向の延長部を有する。これらは、張力リングの外部の方を向く水平方向の非ネジ状開口部、および外側マウントバーの内側ファセットの方を向く内側ネジ状キャビティからなる。内側ボルト１５３０は、張力リングの外部ファセットの方を向く金属スペーサ１５２０の水平方向の非ネジ状開口部、およびその間に張力リングを有する内側エンドキャップ１５１０および減衰部材１５１５の中央開口部を通過する。内側ボルト１５３０の拡大頂部は、水平方向開口部を有する内側を向く鉛直方向の延長部に対して支持され、内側ボルト１５３０は、水平方向開口部を通る。内側ボルト１５３０の外側ネジ状端部は、内側ネジ状アルティマウントアンカにネジ止めされ、これにより、張力リングの内側にアルティマウントアンカを固定する。
【００５８】
再び図１５を参照すると、中間減衰部材１５４０および中間エンドキャップ１５５０は、金属スペーサ１５２０の鉛直方向の開口部がラグホルダのネジ状開口部上で直接に合わせられるように、金属スペーサ１５２０の外側を向く鉛直方向の延長部と、外側マウントバーの内面の周囲の複数の相補的窪みとの間に配置される。異なる複数の実施形態は、対応するラグホルダのネジ状開口部上の金属スペーサの鉛直方向の開口部の配置を確実にするべく、異なる複数の長さの金属スペーサを提供し得る。金属スペーサ１５２０の中央の水平方向の非ネジ状開口部を通る締め付けラグは、合わせられたラグホルダのネジ状開口部にネジ止めされる。図１４に示されるように、締め付けラグは、マウント・ドラム連結アセンブリをラグホルダに連結し、次に張力リングは、締め付けラグおよびラグホルダを用いて固定される。
【００５９】
次に、外側減衰部材１５７０および外側エンドキャップ１５６０は、外側マウントバーの外面に配置された複数の相補的窪みに連結するように配置される。次に、外側ボルト１５８０は、金属スペーサ１５２０の外側を向く鉛直方向の延長部の周囲の内側ネジ状キャビティにネジ止めする前に、外側減衰部材１５７０、外側エンドキャップ１５６０、外側マウントバー、中間エンドキャップ１５５０、中間減衰部材１５４０の各々の中央開口部を通る。図１７は、いくつかの実施形態による、金属スペーサを有する完成した改良型ドラムマウント連結アセンブリの２つの例示を提供する。
【００６０】
これまで、改良型ドラムマウントの減衰および隔離要素は、改良型ドラムマウントをドラムに連結するときに用いられるマウント・ドラム連結アセンブリに関して提示されてきた。これらの実施形態において、減衰および隔離要素は、演奏中にドラムから改良型ドラムマウントへと移動する振動エネルギー量を低減および制限する。
【００６１】
いくつかの実施形態は、マウント・スタンド連結アセンブリにおける追加の減衰および隔離要素を含む。マウント・スタンド連結アセンブリは、改良型ドラムマウントをドラムスタンドもしくはドラムラックに連結する。より具体的には、マウント・スタンド連結アセンブリは、改良型ドラムマウントの内側マウントのプレート鉛直方向延長部を、一体化された複数の減衰要素を有するドラムスタンドもしくはドラムラックの支持アームに連結し、改良型ドラムマウントからドラムスタンドもしくはドラムラックの支持アームへのエネルギー移動を遮蔽する。
【００６２】
これらの実施形態は、振動エネルギーがドラムスタンドまたはドラムラックに移動するのを制限し、または防止する、追加の緩衝を提供する。具体的には、マウント・ドラム減衰および隔離要素を通って改良型ドラムマウントに移動する任意のエネルギーは、ドラムスタンドまたはドラムラックの支持アームに移動する前に、マウント・スタンド連結アセンブリに一体化された減衰および隔離要素の第２の層も通らなければならない。組み合わされた減衰および隔離は、ドラムからドラムスタンドまたはドラムラックへのエネルギー移動の可能性を効果的に取り除きし、これにより、ドラム演奏中に所望でないラトリング、ノイズまたは動きを低減させる。
【００６３】
図１８は、いくつかの実施形態による、マウント・スタンド連結アセンブリ、ならびにその一体化された減衰および隔離要素を提示する分解図を提供する。図１９は、いくつかの実施形態のマウント・スタンドアセンブリ要素の異なる斜視図を提供する。
【００６４】
マウント・スタンドアセンブリは、一式のボルト１８１０、複数のワッシャ１８２０、複数の減衰部材１８３０、複数の被挟持エンドキャップ１８４０、スペーサ１８５０、ｏ型被挟持リング１８６０、ｏ型リング減衰部材１８７０、一対のネジ１８９５、ウィングナット１８９７、および前面プレート１８８０および背面プレート１８９０を有するマウントブラケットを含む。
【００６５】
複数のボルト１８１０、複数のワッシャ１８２０、複数の減衰部材１８３０、複数の被挟持エンドキャップ１８４０、スペーサ１８５０、ｏ型被挟持リング１８６０、ｏ型リング減衰部材１８７０および前面プレート１８８０は、内側マウントプレート鉛直方向延長部に連結する。複数の被挟持エンドキャップ１８４０の突起部は、内側マウントのプレート鉛直方向延長部の内側ファセット上の各開口に配置された複数の窪んだガイドに載っている。一式のボルト１８１０は、内側マウントのプレート鉛直方向延長部のホールパターンを通り、前面プレート１８８０の周囲の相補的な一式の内側ネジ状穿孔にネジ止めすることにより、複数のワッシャ１８２０、複数の減衰部材１８３０、内側マウントプレート鉛直方向延長部の内面の周囲の被挟持エンドキャップ１８４０、スペーサ１８５０、ｏ型被挟持リング１８６０、ｏ型リング減衰部材１８７０、および内側マウントプレートの外面の付近の前面プレート１８８０を固定する。異なる複数の実施形態は、広範な用途のために、内側マウントのプレートの鉛直方向延長部の周囲に異なるホールパターンまたは複数のホールパターンを提供する。
【００６６】
上記と同様に、被挟持エンドキャップ１８４０およびｏ型被挟持リング１８６０は、マウント・スタンドアセンブリが改良型ドラムマウントの内側マウントプレートと共有する接点の表面積を最小化する。低減された接点の表面積の量は、内側マウントプレートからマウント・スタンドアセンブリ、支持ブラケットアーム、そして最終的にドラムスタンド自体へと移動するエネルギー量を最小化するときに、第１のレベルのエネルギー減衰および隔離を提供する。
【００６７】
複数の減衰部材１８３０およびｏ型リング減衰部材１８７０は、エンドキャップ１８４０およびｏ型被挟持リング１８６０へと移動される任意の振動エネルギーを減衰することにより、第２のレベルのエネルギー減衰および隔離を提供する。減衰部材１８３０および１８７０は、１または複数の振動エネルギー吸収材料で構成されている。本明細書に説明される減衰部材８３０および１８７０、ならびに他の複数の減衰部材は、イソブチレンイソプレン、エチレンプロピレンジエン単量体、およびポリアクリル等の天然もしくは合成ゴム、またはシリコン等の他の複数の材料から製造され得る。
【００６８】
前面プレート１８８０は、溝を含み、支持アームの一方の側に相補的溝取り付け部品を有する相補的背面プレート１８９０と、ドラムスタンドまたはドラムラックの支持アームの他方の側で嵌合する。これらの図面において、前面プレート１８８０および背面プレート１８９０は、トング・溝のように鉛直方向に延在するタムブラケットアーム上で嵌合し、鉛直方向に向けられタムブラケットアームは、前面プレート１８８０および背面プレート１８９０の内部に形成された鉛直方向の溝で上方および下方に摺動する。図１８〜２０に示された前面プレート１８８０および背面プレート１８９０の筐体およびマウントハードウェアの形状は、従来技術の既存の複数のブラケット筐体が製造される、複数のブラケット筐体の多く形状を模倣して製造され得ることに留意されたい。これにより、本明細書において列挙される前面プレート１８８０および背面プレート１８９０、ならびにマウントハードウェアが、水平方向に延在する複数のブラケットアームおよび他の複数の構成を含む、様々なドラムスタンドもしくはドラムラックと広範な互換性を有することを可能にする。
【００６９】
一式のネジ１８９５は、背面プレート１８９０を前面プレート１８８０にネジ止めする。複数のネジ１８９５は、背面プレート１８９０の周囲の複数の開口部を通り、前面プレート１８８０の外面の周囲の複数の内側ネジ状穿孔にネジ止めする。図１８〜２０に示された複数のネジ１８９５およびボルト１８１０は、従来技術の様々なマウント・スタンド連結の向きを模倣して製造され得ることに留意されたい。これにより、改良型ドラムマウントを様々なブラケットアーム、ドラムスタンドまたはドラムラックに連結するマウント・スタンドアセンブリ要素の広範な互換性を可能にする。
【００７０】
ウィングナット１８９７は、マウント・スタンドアセンブリの位置をタムブラケットアーム上に固定するべく、更に提供される。ウィングナット１８９７の複数の外側のネジは、ウィングナット１８９７の先端部が鉛直方向の溝の内部におけるタムブラケットアームの外側表面と接触するように、背面プレート１８８０の中央に配置された内側のネジにネジ止めされる。これらの間の接触により、ドラムスタンドまたはドラムラックに取り付けられたタムブラケットアームに連結されるときに、ドラムの鉛直方向、水平方向または回転移動を更に防止する。
【００７１】
図２０は、いくつかの実施形態による、完成したマウント・スタンドアセンブリの２つの図を提供する。示されるように、前面プレート１８８０および背面プレート１８９０は、支持アームの周囲の位置に固定するウィングナット１８９７でタムブラケットアームを囲繞する。他の複数のコンポーネントは、内側マウントプレート鉛直方向延長部を、上記の減衰および隔離の複数の層を有する支持アームに連結する。
［項目１］
ドラムを支持ブラケット、スタンドまたはラックのいずれかに装着するためのドラムマウントであって、
複数の開口部およびオフセット部分を有する湾曲した外側マウントバーと、
前記湾曲した外側マウントバーの前記オフセット部分内に取り付けられる湾曲した内側マウントプレートと、
前記内側マウントプレートのドラムフープへの隔離および減衰された連結を提供し、前記外側マウントバーの前記オフセット部分の前記内側マウントプレートへの隔離および減衰された連結を更に提供する複数の連結アセンブリとを備え、前記内側マウントプレートは、複数の開口部を有する、ドラムマウント。
［項目２］
前記複数の連結アセンブリの各連結アセンブリは、ドラム演奏中に、前記ドラムフープから前記内側マウントプレートへと移動するエネルギー量を低減させる内側セットと、前記ドラムフープから前記内側マウントプレートに移動して、更に前記外側マウントバーに移動するエネルギー量を低減させる外側セットとを有する、項目１に記載のドラムマウント。
［項目３］
前記複数の連結アセンブリの各連結アセンブリは、鉛直方向を向いた開口部を有するフープおよび水平方向にネジ状の開口部を有する横方向の表面を含むアンカを有し、
前記鉛直方向を向いた開口部は、ドラムラグホルダ上で合わせられ、前記フープが間に配置された状態でラグが前記ラグホルダにネジ止めされると、前記アンカを前記ドラムに固定する、項目１または２に記載のドラムマウント。
［項目４］
前記複数の連結アセンブリの各連結アセンブリは、中央開口部を含む内側減衰部材および中間減衰部材を更に有し、
前記内側減衰部材は、前記アンカの横方向の表面と前記内側マウントプレートとの間に配置され、
前記中間減衰部材は、前記内側マウントプレートと前記外側マウントバーとの間に配置され、
前記内側減衰部材は、ドラム演奏中に、前記ドラムフープから前記内側マウントプレートへと移動するエネルギー量を低減させ、
前記中間減衰部材は、ドラム演奏中に、前記外側マウントバーから前記内側マウントプレートに移動するエネルギー量を低減させる、項目３に記載のドラムマウント。
［項目５］
前記複数の連結アセンブリの各連結アセンブリは、一方の端部に内側ネジ状キャビティを有する拡大頂部を含み、反対側の端部に外側ネジを含む内側ボルトを更に有し、
前記内側ボルトの外側ネジは、前記アンカの水平方向にネジ状の開口部にネジ止めされ、前記拡大頂部と前記アンカとの間に、前記中間減衰部材、前記内側マウントプレートおよび前記内側減衰部材を固定する、項目４に記載のドラムマウント。
［項目６］
前記複数の連結アセンブリの各連結アセンブリは、複数の突出部を有する一対のエンドキャップを更に有し、
前記一対のエンドキャップは、前記複数の突出部が前記内側マウントプレートに隣接した状態で前記内側マウントプレートの両側に配置され、
前記一対のエンドキャップは、前記内側マウントプレートとの表面接触を低減させることにより、前記ドラムから前記内側マウントプレートへと移動するエネルギー量を低減させる、項目５に記載のドラムマウント。
［項目７］
前記複数の連結アセンブリの各連結アセンブリは、一方の端部に拡大頂部を含み、反対側の端部に前記外側ネジを含む外側ボルトを更に有し、
前記外側ボルトの前記外側ネジは、前記内側ボルトの内側ネジ状キャビティにネジ止めされ、前記外側マウントバーを前記内側マウントプレートに固定する、項目５に記載のドラムマウント。
［項目８］
前記外側ボルトの前記外側ネジは、前記内側ボルトの外側ネジの反対側にある、項目７に記載のドラムマウント。
［項目９］
前記複数の連結アセンブリの各連結アセンブリは、前記外側マウントバーと前記外側ボルトとの間に配置された外側減衰部材を更に有し、
前記外側減衰部材は、前記連結アセンブリから前記外側マウントバーへと移動するエネルギー量を低減させる、項目７または８に記載のドラムマウント。
［項目１０］
前記外側マウントバーの前記複数の開口部は、６０度離される、項目１〜９のいずれか１項に記載のドラムマウント。
［項目１１］
音楽用ドラムのためのマウントであって、
複数の開口部を有するマウントバーと、
前記ドラムの頂部フープを前記ドラムの底部フープに連結するアンカと、
演奏中に、前記頂部フープまたは前記底部フープから前記アンカへと移動するエネルギーから前記マウントバーを隔離する複数の減衰部材を用いて、前記アンカを前記マウントバーに連結する連結アセンブリとを備え、
前記マウントバーは、前記ドラムを支持ブラケット、スタンドまたはラックのうちいずれかに装着し、
前記アンカは、水平方向を向いた内側ネジ状キャビティを有する、マウント。
［項目１２］
前記連結アセンブリは、前記アンカと複数の前記マウントバーの複数の開口部のうちの１つの開口部との間に配置された第１の減衰部材を有する、項目１１に記載のマウント。
［項目１３］
前記連結アセンブリは、前記マウントバーの開口部、前記第１の減衰部材を通り、およびネジ止めを前記アンカの水平方向を向いた内側ネジ状キャビティにネジ止めされることにより、前記マウントバーを前記アンカに固定するボルトを更に有する、項目１２に記載のマウント。
［項目１４］
前記連結アセンブリは、前記マウントバーの前記第１の減衰部材とは別の側に配置された第２の減衰部材を更に有する、項目１３に記載のマウント。
［項目１５］
前記連結アセンブリは、第１のエンドキャップおよび第２のエンドキャップを更に有し、
前記第１のエンドキャップおよび前記第２のエンドキャップの各々は、１つの平坦な側面および複数の突出部を有する１つの側面を含み、
前記第１のエンドキャップは、前記第１のエンドキャップの複数の突出部が前記開口部の周囲の前記マウントバーに隣接した状態で前記第１の減衰部材と前記マウントバーとの間に配置され、
前記第２のエンドキャップは、前記第２のエンドキャップの複数の突出部が前記開口部の反対側の周囲の前記マウントバーに隣接した状態で前記第２の減衰部材と前記マウントバーとの間に配置される、項目１４に記載のマウント。
［項目１６］
前記連結アセンブリは、スペーサを更に有し、前記スペーサの１つの側の周囲に開口部を有する第１の鉛直方向の延長部と、前記スペーサと反対側の周囲に内側ネジ状キャビティを有する第２の鉛直方向の延長部とを含む、項目１２に記載のマウント。
［項目１７］
前記連結アセンブリは、前記スペーサの第１の鉛直方向の延長部の開口部を通り、前記アンカの水平方向を向いた内側ネジ状キャビティにネジ止めすることにより、前記スペーサを前記アンカに固定する第１のボルトを更に有する、項目１６に記載のマウント。
［項目１８］
前記連結アセンブリは、前記マウントバーの開口部および前記第１の減衰部材を通り、前記スペーサの第２の鉛直方向の延長部の内側ネジ状キャビティにネジ止めすることにより、前記スペーサを前記マウントバーに固定する第２のボルトを更に有する、項目１７に記載のマウント。
［項目１９］
前記スペーサは、前記第１の鉛直方向の延長部と第２の鉛直方向の延長部との間に鉛直方向を向いた開口部を更に含み、
前記鉛直方向を向いた開口部は、前記鉛直方向を向いた開口部にラグを通し、前記ラグをラグホルダにネジ止めすることにより、前記ラグホルダ上で合わせ、前記ラグホルダに連結する、項目１８に記載のマウント。
【要約】
【課題】いくつかの実施形態は、演奏中にドラムシェルの共鳴を妨げずに、ドラムマウントおよびドラムが装着される構造体を、ドラムの振動エネルギーの吸収から遮蔽するように、ドラムを支持ブラケットアーム、スタンドまたはラックを装着するドラムマウントを提供する。
【解決手段】ドラムマウントは、内側マウントプレート、外側マウントバーおよび複数の連結アセンブリから構成されている。内側マウントプレートおよび外側マウントバーの各々は、複数の連結アセンブリを用いてドラムシェルまたは張力リングに連結する。また、複数の連結アセンブリは、内側マウントプレートを外側マウントバーに連結する。連結アセンブリは、エネルギーがドラムマウントに移動され得る接点の表面積を最小化するための複数の減衰部材、および突出部を有する複数のエンドキャップを含む。
【選択図】図１【図１】
0006023365.tif 000002
【図２】
0006023365.tif 000003
【図３】
0006023365.tif 000004
【図４】
0006023365.tif 000005
【図５】
0006023365.tif 000006
【図６】
0006023365.tif 000007
【図７】
0006023365.tif 000008
【図８】
0006023365.tif 000009
【図９】
0006023365.tif 000010
【図１０】
0006023365.tif 000011
【図１１】
0006023365.tif 000012
【図１２】
0006023365.tif 000013
【図１３】
0006023365.tif 000014
【図１４】
0006023365.tif 000015
【図１５】
0006023365.tif 000016
【図１６】
0006023365.tif 000017
【図１７】
0006023365.tif 000018
【図１８】
0006023365.tif 000019
【図１９】
0006023365.tif 000020
【図２０】
0006023365.tif 000021